(57)【要約】【課題】都合良く接着および修理される、コネクタ用結合装置を提供する。【解決手段】埋め込み部であって、その前面の複数の第１の端子スロットおよびくさび型フックを有する前記埋め込み部の各側面を有し、その背面にスロットを有する埋め込み部と、複数の端子であって、各端子が前記スロットから前記埋め込み部にそれぞれ挿入された腕と第１の接触端子を有し、各腕が前記第１の端子スロットから突出し、前記第１の接触端子が前記スロットにそれぞれ配置されている複数の端子と、位置決め部であって、前記端子の前記第１の接触端子を配置するための複数の第２の端子スロットを有し、前記位置決め部の２つの側面がそれぞれ前記埋め込み部の前記くさび型フックと嵌合するえぐり溝を有する位置決め部と、前記第２のスロットに配置された複数のリレー端子とを含むことからなる。【選択図】　図２（ａ）
0003097776.tif 000002
【実用新案登録請求の範囲】
【請求項１】
コネクタのマルチ・メディア・スロットの端子セットに結合する結合装置において、
埋め込み部であって、その前面の複数の第１の端子スロットおよびくさび型フックを有する前記埋め込み部の各側面を有し、その背面にスロットを有する埋め込み部と、
複数の端子であって、各端子が前記スロットから前記埋め込み部にそれぞれ挿入された腕と第１の接触端子を有し、各腕が前記第１の端子スロットから突出し、前記第１の接触端子が前記スロットにそれぞれ配置されている複数の端子と、
位置決め部であって、前記端子の前記第１の接触端子を配置するための複数の第２の端子スロットを有し、前記位置決め部の２つの側面がそれぞれ前記埋め込み部の前記くさび型フックと嵌合するえぐり溝を有する位置決め部と、
前記第２のスロットに配置された複数のリレー端子とを含み、
それによって、前記結合装置を組み立てることにより、前記第１の接触子が前記リレー端子と電気的に接触し、前記腕と前記スロットの端子によって形成された電気的接触によって記憶メディアにアクセスすることのできる結合装置。
【請求項２】
前記記憶メディアが、ｘＤカード、ＳＤ／ＭＭＣカード、スマート・メディア・カード、またはＭＳカードであることを特徴とする請求項１に記載のコネクタ用結合装置。
【請求項３】
前記第１の端子スロットおよび前記第２の端子スロットの数が前記端子の数に比例することを特徴とする請求項１に記載のコネクタ用結合装置。
【請求項４】
前記位置決め部がさらに少なくとも１つの位置決めスロットおよび少なくとも１つの位置決めプレートを含み、前記位置決めプレートを前記位置決めスロットの中へ挿入し、基盤上に接着して前記位置決め部を固定することができることを特徴とする請求項１に記載のコネクタ用結合装置。
【請求項５】
前記位置決めスロットがＴ形状であることを特徴とする請求項４に記載のコネクタ用結合装置。
【請求項６】
前記位置決めプレートがさらに板バネおよび固定部を含み、前記位置決めプレートを前記位置決めスロットに挿入することによって、前期板バネが圧縮され次いで解除されて前記位置決めプレートを前記位置決めスロットの中にロック及び固定することができ、前期固定部を前記基板上に接着して前記位置決め部を固定することができることを特徴とする請求項４に記載のコネクタ用結合装置。
【請求項７】
前記リレー端子の各々がさらに接着部及び接触部を含み、前記接着部が前記基板上に接着するために使用され、前記接触部が前記第１の接触端子と接触するために使用されることを特徴とする請求項１に記載のコネクタ用結合装置。
【請求項８】
前記接触部がＵ形状であることを特徴とする請求項７に記載のコネクタ用結合装置。
【請求項９】
前記腕が、前記端子と都合良く電気的に接触するように前記腕の端で湾曲および下方へ湾曲していることを特徴とする請求項１に記載のコネクタ用結合装置。
【考案の詳細な説明】
【０００１】
【考案の属する技術分野】
本考案は、コネクタ用結合装置に関し、より詳細には都合良く接着および修理される、多重記憶メディア・コネクタ用結合装置に関する。
【０００２】
【従来の技術】
フラッシュ・メモリはデータの記憶で情報産業に便宜をもたらす。単一の、独立した、あるいは一時的なデータを記憶するのに、フラッシュ・メモリでは大容量メイン・メモリを設置する必要性がない。１個のフラッシュ・メモリを使用することによって、特別なデータの記憶およびファイル管理が容易になる。
【０００３】
デジタル・カメラ、デジタル・ビデオ・カメラ、ＭＰ３プレーヤ、ＰＤＡなどの消費者電気製品に使用するメモリ・カードにはＭＭＣカード（マルチ・メディア・カード）、ＳＤカード（セキュリティ・デジタル・カード）、ＳＭカード（スマート・メディア・カード）、ＣＦカード（コンパクト・フラッシュ・カード・タイプＩおよびタイプＩＩ）、オリンパスとフジが開発したｘＤカードがある。ＳＤカードとＭＭＣカードの相違はピンの数である。これら２つのカードはリード・ライト装置の同じスロットを用いる。ｘＤカードの記憶容量は数ＢＧＢに及び、ユーザの画像処理の要求に応える。しかし、従来のリード・ライト装置がｘＤカードを読み込めないのは残念である。
【０００４】
市場で入手可能なリード・ライト装置は通常ＭＭＣカード、ＳＤカード、ＳＭカード、ＣＦカード、ｘＤカードなどの多重のメモリ・カードにアクセスできる。従来技術の多機能カード・リーダーのそれぞれ平面図および断面図を示す図１（ａ）および１（ｂ）を参照願いたい。図１（ａ）および１（ｂ）に示すように、従来技術の多機能カード・リーダーは少なくとも、ハウジング５０、複数の第１の端子５１、複数の第２の端子５２、複数の第３の端子５３を含み、第１の端子５１、第２の端子５２、第３の端子５３が基板に半田付けされた後は、これらの端子５１、５２、または５３のいずれかが十分なスペースがないために欠陥を生じても、ユーザはこれらの端子５１、５２、または５３を修理することはできない。ユーザにできる唯一の方法は欠陥端子の上から半田を除去することであるが、しかしこれには多くの時間がかかり、端子５２を容易に破壊してしまう。
【０００５】
【考案が解決しようとする課題】
本考案はこの状況を考慮して達成された。本考案の目的は、都合良く接着および修理される、コネクタ用結合装置を提供する。
【０００６】
【課題を解決するための手段】
前記目的を達成するため、本考案のコネクタのマルチ・メディア・スロットの端子セットに結合する結合装置は、
埋め込み部であって、その前面の複数の第１の端子スロットおよびくさび型フックを有する前記埋め込み部の各側面を有し、その背面にスロットを有する埋め込み部と、
複数の端子であって、各端子が前記スロットから前記埋め込み部にそれぞれ挿入された腕と第１の接触端子を有し、各腕が前記第１の端子スロットから突出し、前記第１の接触端子が前記スロットにそれぞれ配置されている複数の端子と、
位置決め部であって、前記端子の前記第１の接触端子を配置するための複数の第２の端子スロットを有し、前記位置決め部の２つの側面がそれぞれ前記埋め込み部の前記くさび型フックと嵌合するえぐり溝を有する位置決め部と、
前記第２のスロットに配置された複数のリレー端子とを含み、
それによって、前記結合装置を組み立てることにより、前記第１の接触子が前記リレー端子と電気的に接触し、前記腕と前記スロットの端子によって形成された電気的接触によって記憶メディアにアクセスすることからなる。
又、前記記憶メディアが、ｘＤカード、ＳＤ／ＭＭＣカード、スマート・メディア・カード、またはＭＳカードであることが好適である。
又、前記第１の端子スロットおよび前記第２の端子スロットの数が前記端子の数に比例することが好適である。
又、前記位置決め部がさらに少なくとも１つの位置決めスロットおよび少なくとも１つの位置決めプレートを含み、前記位置決めプレートを前記位置決めスロットの中へ挿入し、基盤上に接着して前記位置決め部を固定することができることが好適である。
又、前記位置決めスロットがＴ形状であることが好適である。
又、前記位置決めプレートがさらに板バネおよび固定部を含み、前記位置決めプレートを前記位置決めスロットに挿入することによって、前期板バネが圧縮され次いで解除されて前記位置決めプレートを前記位置決めスロットの中にロック及び固定することができ、前期固定部を前記基板上に接着して前記位置決め部を固定することができることが好適である。
又、前記リレー端子の各々がさらに接着部及び接触部を含み、前記接着部が前記基板上に接着するために使用され、前記接触部が前記第１の接触端子と接触するために使用されることが好適である。
又、前記接触部がＵ形状であることが好適である。
さらに、前記腕が、前記端子と都合良く電気的に接触するように前記腕の端で湾曲および下方へ湾曲していることが好適である。
【考案の実施の形態】
図２（ａ）を参照すると、本考案によるコネクタ用結合装置の展開図が示されている。図２（ａ）に示されているように、コネクタ用結合装置１は、埋め込み部１０、複数の端子１４、位置決め部２０、および複数のリレー端子２３を含む。
【０００７】
埋め込み部１０は、細長いストリップで、その前面の複数の第１の端子スロット１２、およびくさび型フック１１を有する埋め込み部１０の各側面を有し、その背面にスロット１３を有しており、第１の端子スロット１２の数がコネクタ（図示されていない）の端子数に比例する。複数の端子１４は、端子１４の数がコネクタ（図示されていない）の端子数に比例し、各端子１４が、スロット１３から埋め込み部１０にそれぞれ挿入される腕１４１と第１の接触端子１４２を有し、各腕１４１が、第１の端子スロット１２から突出して都合良く端子と電気的に接触するように腕の端で湾曲および下方に湾曲し、各第１の接触端子１４２が下方に延びてスロット１３に配置されている。
【０００８】
位置決め部２０は、端子１４の第１の接触端子１４２をその中に位置決めする複数の第２の端子スロット２１を有し、位置決め部２０の両側面には埋め込み部２０のくさび型フック１１と嵌合するえぐり溝２５を有し、第２のスロット２１に配置されたリレー端子２３の数は第２の端子スロット２１の数量と比例する。それにより、結合装置１を組み立てることによって、第１の接触端子１４２がリレー端子２３と電気的に接触することができ、腕１４１とスロットの端子によって形成された電気的接触によって記憶メディア（示されていない）にアクセスすることができ、記憶媒体はｘＤカード、ＳＤ／ＭＭＣカード、スマート・メディア・カードまたはＭＳカードとすることができる。
【０００９】
図２（ｂ）を参照すると、本考案によるコネクタ用結合装置１の埋め込み部１０と複数の端子１４の背面が示されている。図２（ｂ）に示されたように、埋め込み部１０のくさび型フック１１、第１の端子スロット１２およびスロット１３が明瞭に示されている。端子１４は位置決め部２０と嵌合するように、スロット１３の背面から第１の端子スロット１２に容易に挿入することができる。
【００１０】
図３を参照すると、本考案によるコネクタ用結合装置１の端子１４の拡大図が示されている。図３に示したように、本考案の各端子１４はさらにスロット１３からそれぞれ埋め込み部１０に挿入される腕１４１および第１の接触端子１４２を含み、各腕１４１は第１の端子スロット１２から突出して都合良く端子と電気的に接触するように、腕１４１の端で湾曲および下方へ湾曲し、各第１の接触端子１４２は下方に延びてスロット１３に配置される。
【００１１】
図４を参照すると、本考案による端子２３の拡大図が示されている。図４に示したように、本考案のリレー端子２３はさらに接着部２３１および接触部２３２を含み、接着部２３１がリレー端子２３を基板３０上に接着して（図５に示されている）リレー端子２３を固定するために使用され、接触部２３２がＵ形状をしており第１の接触端子１４２との位置決めおよび接触のために使用される。さらに、本考案の位置決め部２０はさらに少なくとも１つの位置決めスロット２２および少なくとも１つの位置決めプレート２４を含み、位置決めスロット２２がＴ形状をしており、位置決めプレート２４がさらに板バネ２４１および固定部２４２を含んでいる。位置決めプレート２４を位置決めスロット２２に挿入することによって、板バネ２４１は圧縮および解除されて位置決めプレート２４を位置決めスロット２２にロックし固定することができ、固定部２４２を基板３０上に接着して位置決め部２０を固定することができる。
【００１２】
図５、６（ａ）、６（ｂ）を参照すると、本考案によるコネクタ用結合装置のそれぞれ展開図、平面図、側面図が示されている。図５に示したように、組み立て前には端子１４は埋め込み部１０に埋め込まれており、リレー端子２３、位置決めプレート２４はそれぞれ位置決めスロット２１および位置決めスロット２２に埋め込まれている。組み立て中に、多重記憶メディア・コネクタの第２の端子５２（示されていない）および第３の端子５３はまず基板３０の表面に半田付けされ、位置決め部２０のリレー端子２３、位置決めプレート２４が基板３０の接点３１、３２にそれぞれ接着され、次いで埋め込み部１０が位置決め部２０に挿入され、したがって、端子１４の腕１４１が多重記憶メディア・コネクタの第１の端子５１に接触する。この時点でユーザが第２の端子５２に欠陥を発見したならば、必要なことはただ埋め込み部１０を取り外して欠陥端子５２を修理するだけである。
【００１３】
図７を参照すると、本考案による組み立て後の端子および記憶メディア・スロットの断面図が示されている。図７に示されているように、結合装置１と多重記憶メディア・コネクタの組み立て後、腕１４１は多重記憶メディア・コネクタの第１の端子５１に接続されてＵ形状の接触部２３２に配置され、さらに、埋め込み部１０を結合装置１から取り外せば、第１の端子５１は、多重記憶メディア・コネクタから、ユーザが欠陥端子を修理するために示されているスペースの中に水平に延びている。
【００１４】
図８を参照すると、本考案による組み立て後の端子および記憶メディア・スロットの拡大図が示されている。図８に示されているように、結合装置１と多重記憶メディア・コネクタの組み立て後、リレー端子２３は位置決めスロット２１の中に挿入され、端子１４の湾曲した形状の腕１４１は多重記憶メディア・コネクタの第１の端子５１に接触し配置される。さらに、埋め込み部１０を結合装置１から取り外せば、第１の端子５１はここでも多重記憶メディア・コネクタから水平に延び、ユーザが欠陥端子を修理するための十分なスペースが示されている。
【００１５】
本考案の特定の実施形態を例示のために詳細に説明してきたが、本考案の精神と範囲から逸脱することなく多くの修正と改善を加えることができる。したがって、本考案は付属の請求項による以外は制限を受けない。
【図面の簡単な説明】
【図１（ａ）】従来技術の多機能カード・リーダーの平面図である。
【図１（ｂ）】従来技術の多機能カード・リーダーの断面図である。
【図２（ａ）】本考案によるコネクタ用結合装置の展開図である。
【図２（ｂ）】本考案によるコネクタ用結合装置の埋め込み部および複数の端子の背面図である。
【図３】本考案によるコネクタ用結合装置の端子の拡大図である。
【図４】本考案による端子の拡大図である。
【図５】本考案による結合装置の組み立て前の展開図である。
【図６（ａ）】本考案によるコネクタ用結合装置の平面図である。
【図６（ｂ）】本考案によるコネクタ用結合装置の断面図である。
【図７】本考案による端子および記憶メディア・スロットの組み立て後の断面図である。
【図８】本考案による端子および記憶メディア・スロットの組み立て後の拡大図である。
【符号の説明】
１　結合装置
１０　埋め込み部
１１　くさび型フック
１２　第１の端子スロット
１３　スロット
１４　端子
２０　位置決め部
２１　第２の端子スロット
２２　位置決めスロット
２３　リレー端子
２４　位置決めプレート
２５　えぐり溝
３０　基板
３１　接点
３２　接点
５１　第１の端子
５２　第２の端子
５３　第３の端子
１４１　腕
１４２　第１の接触端子
２３１　接着部
２３２　接触部
２４１　板バネ
２４２　固定部
【図１（ａ）】
0003097776.tif 000003
【図１（ｂ）】
0003097776.tif 000004
【図２（ａ）】
0003097776.tif 000005
【図２（ｂ）】
0003097776.tif 000006
【図３】
0003097776.tif 000007
【図４】
0003097776.tif 000008
【図５】
0003097776.tif 000009
【図６（ａ）】
0003097776.tif 000010
【図６（ｂ）】
0003097776.tif 000011
【図７】
0003097776.tif 000012
【図８】
0003097776.tif 000013